(57)【要約】【課題】ユーザの使用実態に適した保温動作パターンで保温することができる炊飯器を提供すること。【解決手段】保温が開始されてから保温が停止されるまでの時間を記憶する保温実施時間記憶部１０を備え、保温実施時間記憶部１０に記憶されている前回までの保温実施時間情報に基づいて、長時間の保温に適した低温保温動作パターンと、低温保温動作パターンよりも高い温度で保温する高温保温動作パターンの少なくとも２水準の保温動作パターンから保温動作パターンを決定して保温を行うことにより、日々の保温時間記録情報からユーザの使用実態を把握し、その使用実態に適した保温動作パターンで保温することが可能となる。【選択図】図１
2012000267.tif 000002
【特許請求の範囲】
【請求項１】
炊飯器本体の内部に収納され米と水を入れる鍋と、
前記鍋を覆う蓋と、
前記鍋を加熱する加熱部と、
前記鍋の温度を検知する鍋温度検知部と、
時間を計測する計時部と、
炊飯動作パターンおよび保温動作パターンを記憶する動作パターン記憶部と、
ユーザが炊飯動作の開始を指示する炊飯開始入力部と、
ユーザが保温動作の開始を指示する保温開始入力部と、
保温動作の停止を指示する動作停止入力部と、
保温が開始されてから前記動作停止入力部によって前記保温が停止されるまでの時間を記憶する保温実施時間記憶部と、
前記鍋温度検知部の検知温度と前記計時部が計測した時間と前記動作パターン記憶部に記憶されている炊飯または保温動作パターンに基づいて、炊飯または保温の動作を制御する制御部とを備え、
前記動作パターン記憶部は長時間の保温に適した低温保温動作パターンと前記低温保温動作パターンよりも高い温度で保温する高温保温動作パターンの少なくとも２水準の保温動作パターンを有し、
前記制御部は、前記保温実施時間記憶部に記憶されている前回までの保温実施時間情報に基づいて、
前記動作パターン記憶部に記憶されている前記保温動作パターンから使用する保温動作パターンを決定することを特徴とする炊飯器。
【請求項２】
前記制御部は、前記保温実施時間記憶部に記憶されている保温実施時間情報の内、直近の所定回数以内に所定時間以上の保温実施時間の記録がなかった場合は前記高温保温動作パターンを実施し、所定時間以上の保温実施時間の記録があった場合は前記低温保温動作パターンを実施することを特徴とする請求項１に記載の炊飯器。
【請求項３】
前記保温実施時間記憶部は、曜日別に保温実施時間情報を記録し、前記制御部は、曜日毎に、前記保温実施時間記憶部に記憶されている曜日別の保温実施時間情報の内、直近の所定回数以内に所定時間以上の保温実施時間の記録がなかった場合は前記高温保温動作パターンを実施し、所定時間以上の保温実施時間の記録があった場合は前記低温保温動作パターンを実施することを特徴とする請求項１に記載の炊飯器。
【請求項４】
前記保温実施時間記憶部は、前記動作停止入力部によって保温が停止されてから所定時間経過までに保温開始入力部による保温開始入力が行われた場合は、保温実施時間を記録しないことを特徴とする請求項１〜３のいずれか１項に記載の炊飯器。
【発明の詳細な説明】
【技術分野】
【０００１】
本発明は、保温機能を有する炊飯器に関するものである。
【背景技術】
【０００２】
従来、この種の炊飯器は、通常保温温度より低い低温保温温度（例えば５５〜７０℃）で保温することにより、米飯の黄変、異臭の発生、食味の劣化を抑える一方で、通常保温温度より高い高温保温温度（例えば７５℃〜９５℃）まで所定時間ごとに温度上昇させることにより保温温度低下により発生する雑菌を繰返し殺菌し、保温中のご飯もおいしく食べることができるものがある（例えば特許文献１参照）。
【０００３】
また、低温保温温度で保温する低温保温モードと高温保温温度で保温する高温保温モードをユーザが選択できるものもある（例えば特許文献２参照）。
【先行技術文献】
【特許文献】
【０００４】
【特許文献１】特開平０７−２９８９８３号公報
【特許文献２】特許第３２３９３４９号公報
【発明の概要】
【発明が解決しようとする課題】
【０００５】
しかしながら、前記従来の構成では、通常保温温度より低い低温保温温度での保温中はおいしさの要因の１つである保温温度が低く、食味が低下してしまうという課題があった。
【０００６】
この対策として、保温中の米飯の温度を一時的に炊きたての温度まで加熱する機能を有するものもあるが、食事前にその都度操作を行う必要があり、また操作から温度上昇が完了するまでに時間を要するという課題があった。
【０００７】
また、長時間保温するにもかかわらず、保温中の米飯の食味の劣化が早い高温保温をユーザが選択してしまうなど、実際の使用実態に適さない保温モードが選択される可能性があるという課題があった。
【０００８】
本発明は、前記従来の課題を解決するもので、ユーザの使用実態に適した保温動作パターンで保温することができる炊飯器を提供することを目的とする。
【課題を解決するための手段】
【０００９】
前記従来の課題を解決するために、本発明の炊飯器は、炊飯器本体の内部に収納され米と水を入れる鍋と、前記鍋を加熱する加熱部と、時間を計測する計時部と、炊飯動作パターンおよび保温動作パターンを記憶する動作パターン記憶部と、保温動作の停止を指示する動作停止入力部と、保温が開始されてから前記動作停止入力部によって前記保温が停止されるまでの時間を記憶する保温実施時間記憶部と、前記鍋温度検知部の検知温度と前記計時部が計測した時間と前記動作パターン記憶部に記憶されている炊飯または保温動作パターンに基づいて、炊飯または保温の動作を制御する制御部とを備え、前記動作パターン記憶部は長時間の保温に適した低温保温動作パターンと前記低温保温動作パターンよりも高い温度で保温する高温保温動作パターンの少なくとも２水準の保温動作パターンを有し、前記制御部は、前記保温実施時間記憶部に記憶されている前回までの保温実施時間情報に基づいて、前記動作パターン記憶部に記憶されている前記保温動作パターンから使用する保温動作パターンを決定するものである。
【００１０】
これによって、日々の保温時間記録情報からユーザの使用実態を把握し、その使用実態に適した保温動作パターンで保温することが可能となる。
【発明の効果】
【００１１】
本発明の炊飯器は、ユーザの使用実態に適した保温動作パターンで保温することができ、ユーザに手間をかけることなく、ユーザの所望のタイミングで、食味の劣化が減じられた米飯を提供することができる。
【図面の簡単な説明】
【００１２】
【図１】本発明の実施の形態１における炊飯器のブロック図
【図２】本発明の実施の形態１における炊飯器の動作を示すフローチャート
【図３】本発明の実施の形態２における炊飯器の動作を示すフローチャート
【図４】本発明の実施の形態３における炊飯器の動作を示すフローチャート
【図５】本発明の実施の形態４における炊飯器の動作を示すフローチャート
【発明を実施するための形態】
【００１３】
第１の発明は炊飯器本体の内部に収納され米と水を入れる鍋と、前記鍋を覆う蓋と、前記鍋を加熱する加熱部と、前記鍋の温度を検知する鍋温度検知部と、時間を計測する計時部と、炊飯動作パターンおよび保温動作パターンを記憶する動作パターン記憶部と、ユーザが炊飯動作の開始を指示する炊飯開始入力部と、ユーザが保温動作の開始を指示する保温開始入力部と、保温動作の停止を指示する動作停止入力部と、保温が開始されてから前記動作停止入力部によって前記保温が停止されるまでの時間を記憶する保温実施時間記憶部と、前記鍋温度検知部の検知温度と前記計時部が計測した時間と前記動作パターン記憶部に記憶されている炊飯または保温動作パターンに基づいて、炊飯または保温の動作を制御する制御部とを備え、前記動作パターン記憶部は長時間の保温に適した低温保温動作パターンと前記低温保温動作パターンよりも高い温度で保温する高温保温動作パターンの少なくとも２水準の保温動作パターンを有し、前記制御部は、前記保温実施時間記憶部に記憶されている前回までの保温実施時間情報に基づいて、前記動作パターン記憶部に記憶されている前記保温動作パターンから使用する保温動作パターンを決定することにより、保温実施時間記憶部に記録された前回までの保温実施時間情報からユーザの使用実態を把握し、その使用実態に基づいた保温動作パターンを選択することが可能となるので、ユーザの使用実態に適した保温動作パターンで保温することができ、ユーザに手間をかけることなく、ユーザの所望のタイミングで、食味の劣化が減じられた米飯を提供することができる。
【００１４】
第２の発明は、特に、第１の発明の前記制御部は、前記保温実施時間記憶部に記憶されている保温実施時間情報の内、直近の所定回数以内に所定時間以上の保温実施時間の記録がなかった場合は前記高温保温動作パターンを実施し、所定時間以上の保温実施時間の記録があった場合は前記低温保温動作パターンを実施することにより、日々の保温実施時間情報から長時間保温する可能性が高いユーザの場合は長時間の保温に適した低温保温動作パターンが実施され、短時間保温する可能性が高いユーザの場合は短時間の保温においては低温保温より保温温度が高く食味が良好な高温保温動作パターンで保温することが可能となるので、ユーザの使用実態に適した保温動作パターンで保温することができる。
【００１５】
第３の発明は、特に、第１の発明の前記保温実施時間記憶部は、曜日別に保温実施時間情報を記録し、前記制御部は、曜日毎に、前記保温実施時間記憶部に記憶されている曜日別の保温実施時間情報の内、直近の所定回数以内に所定時間以上の保温実施時間の記録がなかった場合は前記高温保温動作パターンを実施し、所定時間以上の保温実施時間の記録があった場合は前記低温保温動作パターンを実施することにより、例えば、平日の保温時間は長時間であるが、週末の保温時間は短時間であるなど、曜日毎に使用実態が異なる場合でも、ユーザの使用実態に適した保温動作パターンで保温することができる。
【００１６】
第４の発明は、特に、第１〜３のいずれか１つの発明の前記保温実施時間記憶部は、前記動作停止入力部によって保温が停止されてから所定時間経過までに保温開始入力部による保温開始入力が行われた場合は、保温実施時間を記録しないことにより、誤操作によって保温を取り消してしまった場合や、炊飯器を移動させるために一時的に保温を停止した場合など、本当に保温を停止した訳ではない場合を除外できるので、より正確にユーザの使用実態を把握できるようになり、より正確にユーザの使用実態に適した保温動作パターンで保温することができる。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における炊飯器のブロック図を示すものである。
【００１９】
図１において、鍋１は炊飯器本体１０１の内部に収容され、米飯などの調理物を収容する容器であり、炊飯器本体１０１上部に設置される蓋２によってその上面を覆われる。
【００２０】
加熱部３は、鍋１を加熱するためのもので、加熱コイルおよびインバータ（共に図示せず）により構成される。
【００２１】
鍋温度検知部４は、鍋１の温度を検知するセンサーであり、検知した温度は制御部１１（マイクロコンピュータ）に送られる。
【００２２】
計時部５は時間を計測するためのもので、制御部１１に内蔵されている。制御部１１は、鍋温度検知部４が検知した鍋１の温度と、計時部５が計時した時間と、動作パターン記憶部６に記憶されている炊飯または保温動作パターンに基づいて、加熱部３を制御して、鍋１に収容された米飯などの調理物の炊飯や保温を行う。
【００２３】
動作パターン記憶部６は、長時間の保温に適した低温保温動作パターンと、低温保温動作パターンよりも高い温度で保温する高温保温動作パターンの少なくとも２水準の保温動作パターンをあらかじめ記憶しておくもので、制御部１１に内蔵されている。
【００２４】
本実施の形態では、低温保温動作パターンでは、黄（褐）変や独特の臭気を発するようになるなどの保温状態の悪化を防ぐため、保温温度を６６〜７０℃の範囲内に設定し、高温保温動作パターンでは、バチルス・ステアロサーモフィルスなどの腐敗菌による、ご飯の腐敗の危険性を防ぐため、保温温度を７０〜７４℃の範囲内に設定する。
【００２５】
炊飯開始入力部７は、ユーザが制御部１１に炊飯動作の開始を指示入力するためのスイッチで、保温開始入力部８は、ユーザが制御部１１に保温動作の開始を指示入力するためのスイッチである。
【００２６】
動作停止入力部９は、ユーザが制御部１１に炊飯または保温動作の停止を指示入力するためのスイッチである。
【００２７】
保温実施時間記憶部１０は、保温が開始されてから、動作停止入力部９によって保温が停止されるまでの時間（保温実施時間）を記憶するためのもので、制御部１１に内蔵されており、制御部１１は保温実施時間記憶部１０に記録されている保温実施時間に基づいて、使用する保温動作パターンを決定する。
【００２８】
以上のように構成された炊飯器について、以下その動作を図２のフローチャートを用いて説明する。
【００２９】
まず、ステップＳ１では、制御部１１は、ユーザからの炊飯開始入力部７による炊飯開始命令入力の有無を確認し、入力があればステップＳ２へ進み、入力がなければ入力があるまでステップＳ１で待機する。
【００３０】
ステップＳ２では、制御部１１は、鍋温度検知部４が検知した鍋１の温度と、計時部５が計時した時間と、動作パターン記憶部に記憶されている炊飯動作パターンに基づいて、加熱部３を制御して、鍋１に収容された米飯などの調理物の炊飯を行い、ステップＳ３で炊飯完了を検知するまでステップＳ２での炊飯制御を継続する。
【００３１】
ステップＳ３で炊飯完了を検知した場合は、ステップＳ４に進み、ステップＳ４で制御部１１は、保温実施時間記憶部１０に記憶されている前回までの保温実施時間情報に基づいて保温動作パターンを決定し、ステップＳ５に進む。
【００３２】
本実施の形態では、前回の保温実施時間が１０時間以上であれば低温保温動作パターンを、１０時間未満であれば高温保温動作パターンを選択するものとする。
【００３３】
ステップＳ５で、制御部１１は保温実施時間カウントを開始してステップＳ６に進み、ステップＳ６で、制御部１１は、鍋温度検知部４が検知した鍋１の温度と、計時部５が計時した時間と、ステップＳ４で決定された保温動作パターンに基づいて、加熱部３を制御して、鍋１に収容された米飯などの調理物の保温を行い、ステップＳ７に進む。
【００３４】
ステップＳ７では、制御部１１は、ユーザからの動作停止入力部９による保温停止命令入力の有無を確認し、入力があればステップＳ８へ進み、入力がなければ入力があるまでステップＳ６で保温制御を継続する。
【００３５】
ステップＳ８で、制御部１１は保温制御を停止してステップＳ９に進み、ステップＳ９で、保温実施時間のカウントを停止してステップＳ１０に進む。
【００３６】
ステップＳ１０で、制御部１１は保温実施時間を保温実施時間記憶部１０に記録して、炊飯から保温に至る一連の動作を終了する。
【００３７】
以上のように、本実施の形態においては、保温が開始されてから保温が停止されるまでの時間を記憶する保温実施時間記憶部１０を備え、保温実施時間記憶部１０に記憶されている前回までの保温実施時間情報に基づいて、長時間の保温に適した低温保温動作パターンと、低温保温動作パターンよりも高い温度で保温する高温保温動作パターンの少なくとも２水準の保温動作パターンから、保温動作パターンを決定して保温を行うように構成することにより、保温実施時間記憶部に記録された前回までの保温実施時間情報から、ユーザの使用実態を把握し、例えば長時間保温するユーザには、長時間保温に適した低温保温動作パターンを使用するなどのように、ユーザの使用実態に適した保温動作パターンで保温することができ、ユーザに手間をかけることなく、ユーザの所望のタイミングで、食味の劣化が減じられた米飯を提供することができる。
【００３８】
なお、本実施の形態においては、炊飯動作終了後に自動で保温動作に移行する場合の動作を用いて説明したが、炊飯は他の炊飯器などで行い、保温のみに本実施の形態の炊飯器を使用する場合は、保温開始入力部８によって保温を開始した際に、図２のステップＳ４から動作を開始するように構成すれば、同様の効果を得ることができる。
【００３９】
また、本実施の形態の炊飯器を購入後初めて使用する際は、保温実施時間記憶部１０に、記憶されている保温実施時間情報がないため、長時間保温にも対応可能な低温保温動作パターンを選択するように初期設定している。
【００４０】
また、本実施の形態では、保温動作パターンは、保温温度を６６〜７０℃の範囲内に設定した低温保温動作パターンと、保温温度を７０〜７４℃の範囲内に設定した高温保温動作パターンの２水準としたが、保温動作パターンを、７０〜７４℃とした通常保温動作パターンと、５５〜７０℃とした低温保温動作パターンと、７５〜９５℃とした高温保温動作パターンの３水準とし、ステップＳ４で、保温実施時間記憶部１０に記憶されている前回までの保温実施時間情報の閾値を２つとし、その閾値に応じて保温動作パターンを選択してもよい。
【００４１】
例えば、前回の保温実施時間が２時間未満であれば通常保温動作パターンを、１０時間以上であれば低温保温動作パターンを、２時間以上１０時間未満であれば高温保温動作パターンを選択するようにしてもよい。
【００４２】
また、保温動作パターンの組み合わせを変えるものとしてもよい。例えば、前回の保温実施時間が、１０時間未満であれば高温保温動作パターンを、１０時間以上であれば高温保温動作パターンを１０時間継続した後に、低温保温動作パターンを選択するようにしてもよい。
【００４３】
（実施の形態２）
図１において、制御部１１は保温実施時間記憶部１０に記憶されている保温実施時間情報の内、直近の所定回数以内に所定時間以上の保温実施時間の記録がなかった場合は高温保温動作パターンを実施し、所定時間以上の保温実施時間の記録があった場合は低温保温動作パターンを実施するように構成している。他の構成は上記実施の形態１と同じである。
【００４４】
以上のように構成された炊飯器について、以下その動作、作用を図３のフローチャートを用いて説明する。なお、ステップＳ１からステップＳ１０までの動作は、上記実施の形態１の動作と同じであるので説明を省略し、ステップＳ１１からステップＳ１３までの動作について説明する。
【００４５】
図３において、ステップＳ３で炊飯完了を検知した場合はステップＳ１１に進み、ステップＳ１１で、制御部１１は、保温実施時間記憶部１０に記憶されている保温実施時間情報をチェックし、直近の所定回数以内に、所定時間以上の保温実施時間の記録があった場合は長時間保温を実施する可能性があると判断して、ステップＳ１３で長時間保温に適した低温保温動作パターンを選択してステップＳ５に進む。
【００４６】
本実施の形態では、直近の３回以内の保温実施時間が、一度でも１０時間以上であれば低温保温動作パターンを選択する。
【００４７】
一方、ステップＳ１１で、直近の所定回数以内に、所定時間以上の保温実施時間の記録がなかった場合は、長時間保温を実施する可能性が低いと判断して、ステップＳ１２でいつでも高温のご飯を食すことができる高温保温動作パターンを選択してステップＳ５に進む。
【００４８】
本実施の形態では、直近の３回以内の保温実施時間が、全て１０時間未満であれば高温保温動作パターンを選択する。
【００４９】
以上のように、本実施の形態においては、制御部１１は保温実施時間記憶部１０に記憶されている保温実施時間情報の内、直近の所定回数以内に、所定時間以上の保温実施時間の記録がなかった場合は、高温保温動作パターンを実施し、所定時間以上の保温実施時間の記録があった場合は、低温保温動作パターンを実施するように構成することにより、日々の保温実施時間情報から長時間保温する可能性が高いユーザの場合は、長時間の保温に適した低温保温動作パターンが実施され、短時間保温する可能性が高いユーザの場合は、短時間の保温においては低温保温より保温温度が高く、食味が良好な高温保温動作パターンで保温することが可能となるので、ユーザの使用実態に適した保温動作パターンで保温することができる。
【００５０】
（実施の形態３）
図１において、保温実施時間記憶部１０は、曜日別に保温実施時間情報を記録するようにし、制御部１１は、保温実施時間記憶部１０に記憶されている曜日別の保温実施時間情報の内、該当曜日の直近の所定回数以内に所定時間以上の保温実施時間の記録がなかった場合は高温保温動作パターンを実施し、所定時間以上の保温実施時間の記録があった場合は低温保温動作パターンを実施するように構成している。他の構成は上記実施の形態１と同じである。
【００５１】
以上のように構成された炊飯器について、以下その動作、作用を図４のフローチャートを用いて説明する。なお、ステップＳ１からステップＳ９までの動作は、上記実施の形態１の動作と同じであるので説明を省略し、ステップＳ２１からステップＳ２３まで及びステップＳ２４の動作について説明する。
【００５２】
図４において、保温終了後に実施されるステップＳ２４では、制御部１１は、今回の保温実施時間を保温実施時間記憶部１０の中の該当曜日用の保温実施時間情報記憶領域に記録する。
【００５３】
ステップＳ３で炊飯完了を検知した場合は、ステップＳ２１に進み、ステップＳ２１で、制御部１１は、保温実施時間記憶部１０に記憶されている曜日別の保温実施時間情報の中の該当曜日の保温実施時間情報をチェックし、直近の所定回数以内に所定時間以上の保温実施時間の記録があった場合は長時間保温を実施する可能性があると判断してステップＳ２３で長時間保温に適した低温保温動作パターンを選択してステップＳ５に進む。
【００５４】
本実施の形態では、該当曜日の直近の３回以内の保温実施時間が、一度でも１０時間以上であれば低温保温動作パターンを選択する。
【００５５】
一方、ステップＳ２１で、直近の所定回数以内に、所定時間以上の保温実施時間の記録がなかった場合は、長時間保温を実施する可能性が低いと判断して、ステップＳ２２でいつでも高温のご飯を食すことができる高温保温動作パターンを選択して、ステップＳ５に進む。
【００５６】
本実施の形態では、該当曜日の直近の３回以内の保温実施時間が、全て１０時間未満であれば高温保温動作パターンを選択する。
【００５７】
以上のように、本実施の形態においては、保温実施時間記憶部１０は、曜日別に保温実施時間情報を記録するようにし、制御部１１は保温実施時間記憶部１０に記憶されている曜日別の保温実施時間情報の内、該当曜日の直近の所定回数以内に所定時間以上の保温実施時間の記録がなかった場合は高温保温動作パターンを実施し、所定時間以上の保温実施時間の記録があった場合は低温保温動作パターンを実施するように構成することにより、例えば平日の保温時間は長時間であるが、週末の保温時間は短時間であるなど、曜日毎に使用実態が異なる場合でも、ユーザの使用実態に適した保温動作パターンで保温することができる。
【００５８】
（実施の形態４）
図１において、保温実施時間記憶部１０は、動作停止入力部９によって保温が停止されてから所定時間経過までに保温開始入力部８による保温開始入力が行われた場合は保温実施時間を記録しないように構成している。他の構成は上記実施の形態１と同じである。
【００５９】
以上のように構成された炊飯器について、以下その動作、作用を図５のフローチャートを用いて説明する。なお、ステップＳ１からステップＳ１０までの動作は、上記実施の形態１の動作と同じであるので説明を省略し、ステップＳ３１からステップＳ３２までの動作について説明する。
【００６０】
図５において、保温を停止した後に実施されるステップＳ３１では、制御部１１は、ユーザからの保温開始入力部８による保温開始命令入力の有無を確認し、入力があればステップＳ６へ戻り保温制御を再開し、入力がなければステップＳ３２へ進む。ステップＳ３２では、制御部１１はステップＳ８で保温を停止してから所定時間が経過したかを確認し、所定時間が経過していた場合は、ステップＳ９およびステップＳ１０に進み保温実施時間記憶部１０に今回の保温実施時間を記録して動作を終了し、所定時間が経過していなかった場合は、ステップＳ３１に戻り、再度ユーザからの保温開始命令があるかを確認する。
【００６１】
本実施の形態では、ステップＳ３２で、ステップＳ８で保温を停止してから１０分経過していた場合は、保温実施時間記憶部１０に、ステップＳ３の炊飯終了からステップＳ８での保温を停止までの時間、即ち今回の保温実施時間を記録して動作を終了し、１０分経過していない場合は、ステップＳ３１に戻り、再度ユーザからの保温開始命令があるかを確認する（１０分経過するまで待機）。
【００６２】
以上のように、本実施の形態においては、保温実施時間記憶部１０は、動作停止入力部９によって保温が停止されてから、所定時間経過までに保温開始入力部８による保温開始入力が行われた場合は保温実施時間を記録しないように構成することにより、誤操作によって保温を取り消してしまった場合や、炊飯器を移動させるために一時的に保温を停止した場合など、本当に保温を停止した訳ではない場合を除外できるので、より正確にユーザの使用実態を把握できるようになり、より正確にユーザの使用実態に適した保温動作パターンで保温することができる。
【産業上の利用可能性】
【００６３】
以上のように、本発明にかかる炊飯器は、保温実施時間の記録からユーザの使用実態を把握し、使用実態にあわせて適切な保温を実施することが可能となるので、複数の保温動作パターンを持つ他の調理機器等の用途にも適用できる。
【符号の説明】
【００６４】
１      鍋
２      蓋
３      加熱部
４      鍋温度検知部
５      計時部
６      動作パターン記憶部
７      炊飯開始入力部
８      保温開始入力部
９      動作停止入力部
１０    保温実施時間記憶部
１１    制御部
１０１  炊飯器本体
【図１】
2012000267.tif 000003
【図２】
2012000267.tif 000004
【図３】
2012000267.tif 000005
【図４】
2012000267.tif 000006
【図５】
2012000267.tif 000007